(57)【要約】      （修正有）【課題】一方の軸組材に取付けた第一接合金具側の切欠に、他方の軸組材に取付けた第二接合金具の掛止筒を係合掛止することにより両軸組材を組付けることができ、施工工程を簡略した軸組材の接合装置を提供する。【解決手段】取付け片と、その縦方向に沿う両端に相対して設けた組付け片２，２とで平面視略溝形の第一接合金具を構成する。第一接合金具を、取付け片に止着して第一軸組材Ｐの側面Ｐａに突設する。そして、第一接合金具の組付け片２，２間に係合する第二接合金具を第二軸組材Ｂに止着する。第二接合金具の、第一接合金具の組付け片２と共に第二軸組材Ｂを通じる止着杆７で第二軸組材Ｂに止着する組付け片の上部内側に掛止筒１０を突設する。また、掛止筒１０を掛止させる切欠９を、第一接合金具の組付け片２の上端に設ける。【選択図】図１
2013023980.tif 000002
【特許請求の範囲】
【請求項１】
第一、第二の軸組材を互いに接合する、木造建物の軸組材の接合装置において、取付け片と、その縦方向に沿う両端に相対して設けた組付け片とで平面視略溝形の第一接合金具を構成し、該第一接合金具を、取付け片において止着して前記第一軸組材の側面に突設し、該第一接合金具を係合する縦溝を、前記側面に当接する、前記第二軸組材の端面に設け、該縦溝に、第一接合金具の前記組付け片間に係合する第二接合金具を係合して前記第二軸組材に止着し、該第二接合金具の、第一接合金具の前記組付け片と共に前記第二軸組材を通じる止着杆で前記第二軸組材に止着する組付け片の上部内側に突子を設け、該突子を掛止させる切欠を、第一接合金具の前記組付け片の上端に設けた、木造建物の軸組材の接合装置。
【請求項２】
突子を円筒状の掛止筒で構成し、該掛止筒を掛止する切欠の底縁を円弧状にした、請求項１記載の木造建物の軸組材の接合装置。
【発明の詳細な説明】
【技術分野】
【０００１】
本発明は、軸組材、例えば、柱と梁を接合する際に用いる、木造建物の軸組材の接合装置に関するものである。
【背景技術】
【０００２】
梁や桁などの軸組材（横架材）を柱や胴差などの軸組材（構造材）に接合するものとして、所謂ほぞ接合に代えて金具接合方式のものが一般に用いられるようになっている。
【０００３】
該金具接合方式のものとして、取付け片の縦方向に沿う両側に接続片を相対設して接合金具を構成し、該接合金具を、一方の軸組材（柱）の側面に前記取付け片において止着して突設し、該接合金具を係合した縦溝を他方の軸組材（梁）の、前記側面に当接する端面に設け、該縦溝に前記接合金具を介して相対する一対の補強板を収設し、該補強板を通じて前記他方の軸組材に嵌挿した掛止杆を接合金具の前記接続片に掛止するようにした構造のもの（例えば、特許文献１）や、この構造のもの中の接合金具を、前記一方の軸組材を貫通させたボルト杆の先端に螺合したナット材に代えた構造のものがある（例えば、特許文献２）。
【先行技術文献】
【特許文献】
【０００４】
【特許文献１】特開２００３−２２７１７５号公報
【特許文献２】特開２００４−３２４３２３号公報
【発明の概要】
【発明が解決しようとする課題】
【０００５】
前記従来例は、他方の軸組材に嵌挿した掛止杆を接合金具又はナット材に掛止する構成を採るので、他方の軸組材に掛止杆嵌挿用の嵌挿孔を設けることと、該嵌挿孔に嵌挿して、掛止杆を他方の軸組材に組付ける施工工程を必要とし、この嵌挿孔の孔開けと嵌挿孔に対する掛止杆の取付け作業が煩雑で、必要以上に経費が嵩む原因となっている。
【０００６】
本発明は、このような従来例の欠点に着目し、従来例の掛止杆を利用したものに代わる斬新な構造の、軸組材の接合装置を提供することを目的として創案したものである。
【課題を解決するための手段】
【０００７】
第一、第二の軸組材を互いに接合する、木造建物の軸組材の接合装置において、取付け片と、その縦方向に沿う両端に相対して設けた組付け片とで平面視略溝形の第一接合金具を構成し、該第一接合金具を、取付け片において止着して前記第一軸組材の側面に突設し、該第一接合金具を係合する縦溝を、前記側面に当接する、前記第二軸組材の端面に設け、該縦溝に、第一接合金具の前記組付け片間に係合する第二接合金具を係合して前記第二軸組材に止着し、該第二接合金具の、第一接合金具の前記組付け片と共に前記第二軸組材を通じる止着杆で前記第二軸組材に止着する組付け片の上部内側に突子を設け、該突子を掛止させる切欠を、第一接合金具の前記組付け片の上端に設けた構成を基本的手段とし、この基本的手段に突子を円筒状の掛止筒で構成し、該掛止筒を掛止する切欠の底縁を円弧状にした点を適用することにより突子を切欠に係合するに際し、すなわち、第一接合金具に対する第二接合金具の組付け操作時に切欠に沿う突子の降下が円滑に行われ、総じて軸組材の接合を支障なく行うことができる。
【発明の効果】
【０００８】
一方の軸組材に取付けた第一接合金具側の切欠に、他方の軸組材に取付けた第二接合金具の突子を係合掛止することにより両軸材を組付け、この組付け状態を保持して止着杆による両接合金具の組付け片の他方の軸組材に対する止着操作を行うことができ、掛止杆を打込んで用いる従来構造のものと較べ、施工工程を簡略した、斬新な構造の軸組材の接合装置を提供できる。
【図面の簡単な説明】
【０００９】
【図１】縦断面図。
【図２】図１の一部欠截平面図。
【図３】図２のｘ−ｘ線断面図。
【図４】軸組材を接合する前の状態を示す縦断面図。
【図５】第一接合金具の斜視図。
【図６】第二接合金具の斜視図。
【発明を実施するための形態】
【００１０】
図示の実施形態は、第一、第二の接合金具Ａａ，Ａｂを用いて、一方の軸組材である柱Ｐに、他方の軸組材である梁Ｂを接合する例を示すが、柱Ｐに代る胴差や梁Ｂに代る桁に本発明を適用しても不都合はない。
【００１１】
第一接合金具Ａａは、中央の縦長の取付け片１と、該取付け片１の長手（縦）方向に沿う両端に相対して設けた組付け片２，２とで成る平面視略溝形の枠体（断面溝形枠体）で成り、取付け片１には、第一接合金具Ａａを、該取付け片１において柱Ｐの側面Ｐａに止着する木ねじ３の透孔４，…を縦に並べて設け、また、組付け片２には、前記第二接合金具Ａｂの組付け片５に設けた透孔６と一致させて梁Ｂに設けた挿通孔１８を通じて止着杆７を嵌挿する透孔８を、該組付け片２，２間において一致するように設けてある。
【００１２】
また、第一接合金具Ａａの前記組付け片２の上下両端には、該組付け片２に設けた、前記透孔８，８と同一直線上に並ぶ位置に切欠９を設け、該切欠９の開放側を前記組付け片２より舌状に突出させた部片２ａで構成し、該部片２ａを組付け片２，２間において上端に至るに従って次第に近接するように傾斜させ、前記第二接合金具Ａｂ又は梁Ｂと外面側において嵌め込み易くしてある。
【００１３】
前記切欠９は、底（下）縁を半円状にして全体としてＵ字形を成し、下部側を、前記組付け片２の対応部分を部分的に打出し形成するようにして、正面視Ｕ字状の部片を相対向する方向に突設して、受止部片９ａと成し、該受止部片９ａにおいて第二接合金具Ａｂの円筒状（耐荷重性の有る）掛止筒１０を切欠９に沿って円滑に降下させ、確実に掛止できるようにしてある。
【００１４】
なお、第一接合金具Ａａは、上下と左右が対称形の溝形枠体で成り、この結果、上下および左右勝手自在に適用できるようになっている。
【００１５】
第二接合金具Ａｂは、第一接合金具Ａａと同様、中央の取付け片１１と、該取付け片１１の長手（縦）方向に沿う両端に相対して設けた前記組付け片５，５とで成る断面溝形（平面視略溝形の）枠体で構成し、取付け片１１には、前記柱Ｐの側面Ｐａとの、梁Ｂの接合端面Ｂａに設けた縦溝１３の奥壁１３ａに止着する木ねじ１４の透孔１５を設け、また、組付け片５には、第一接合金具Ａａの組付け片２に設けた透孔８と一致する位置に、しかも、組付け片５，５間に於いても一致する前記透孔６を設けてある。そして、組付け片５の内側には、前記掛止筒１０を突設してあり、この掛止筒１０と、該掛止筒１０の直下に位置する前記透孔６（例えば、上位の）との離開距離は、第一接合金具Ａａの組付け片２に設けた切欠９（部片９ａ）と透孔８（例えば、上位の）との離開距離とほぼ一致するようにしてある。つまり、組付け片２，２間の離開距離より組付け片５，５間の距離が長く（組付け片２，２間より組付け片５，５間を幅広くした）した第二接合金具Ａｂを第一接合金具Ａａを内側に配したとき、掛止筒１０は切欠９の受支部片９ａ上に載置されるようになっている。
【００１６】
なお、掛止筒１０は、バーリング加工によって形成してあり（バーリング加工以外でも良い）、実施形態の場合は、円筒状と成し、これに対応するようにして切欠９の底縁部の受支部片９ａも円弧状にしてあるが、方形筒状（概し、バーリング加工）とし、受支部片９ａも方形（溝）状にしても不都合はない。要は、実施形態の掛止筒１０に対応する突子を組付け片５（第二接合金具Ａｂの）を設け（実施形態の受支部片９ａを設けるようなやり方で設けても良い）、該突子が係合して掛止する切欠９を第一接合金具Ａａ側の組付け片２に設ければ良い。切欠の突子の受縁（底縁部に存する受支部の形態は、実施形態のように円形であれば円形のように突子の断面形に従った形態を適用すれば良い。
【００１７】
そして、柱Ｐの側面Ｐａに、第一接合金具Ａａを、取付け片１において重ね合わせ、該取付け片１に設けた透孔４を通じて木ねじ３を前記柱Ｐ（の案内穴１６）にねじ込むことによって、第一接合金具Ａａは柱Ｐ側面に突設される。
【００１８】
なお、柱Ｐの側面の、前記木ねじ３をねじ込む部分すなわち、第一接合金具Ａａを突設する柱Ｐの側面部分には、木ねじ３より小径な前期案内穴１６を設けて置くと、木ねじ３のねじ込み操作を円滑に行うことができる。もっとも、この案内穴１６に代えて通し孔を前記柱Ｐに設け、該通し孔に前記木ねじ３に代るボルトを第一接合金具Ａａ側より挿通させ、柱Ｐより突出するボルト先端にナットを螺合するようにして、第一接合金具Ａａを柱Ｐに突設するようにしても良い。
【００１９】
他方、柱Ｐの側面Ｐａに接合する梁Ｂの端面Ｂａに、柱Ｐに突設した前記第一接合金具Ａａが収まる程度の横幅と奥行幅を備えた前記縦溝１３を設けておき、この縦溝１３に、第二接合金具Ａｂを係合し、該第二接合金具Ａｂの取付け片１１に設けた透孔１５を、前記縦溝１３の奥壁１３ａに設けた案内穴１７と一致させ、透孔１５を通じて木ねじ１４を案内孔１７（木ねじ１４より小径な）に案内させるようにして梁Ｂにねじ込むと、第二接合金具Ａｂは梁Ｂに、縦溝１３に収められた状態で止着される。
【００２０】
そして、第二接合金具Ａｂの内側に第一接合金具Ａａが係合するようにして梁Ｂを降下させ、第二接合金具Ａｂ側の掛止筒１０を第一接合金具Ａａの切欠９に係合させて受止部片９ａに載置させると、第一接合金具Ａａを、取付けた柱Ｐに、第二接合金具Ａｂを取付けた梁Ｂは接合金具Ａａ，Ａｂにおいて仮掛止される。
【００２１】
この仮掛止状態にあって、第一接合金具Ａａの組付け片２に設けた透孔８と、第二接合金具Ａｂに設けた透孔６は設計通りに一致し、透孔６に予め一致するようにして梁Ｂ側に設けた前記挿通孔１８を通じてこれら透孔８，６に、止着杆（例えば、ドリフトピン）７を嵌挿することにより実施例装置を得ることができる。
【００２２】
なお、一対の柱Ｐ，Ｐ間に梁Ｂを配するようにして、梁Ｂの両面を柱Ｐに対する接合面とし、両方の該接合端面に前記のようにして第二接合金具Ａｂを取付け、柱Ｐ，Ｐ側に前記のように第一接合金具Ａａを突設し、接合金具Ａａ，Ａｂ同士を互いに組付けて、一対の柱Ｐ，Ｐ間に梁Ｂを配する接合手段に、本発明装置は通常用いられるが、単一な柱に単一な梁を接合するために本装置を適用して不都合はない。
【符号の説明】
【００２３】
１      取付け片
２      組付け片
５      組付け片
７      止着杆
９      切欠
１０    掛止筒
Ａａ    第一接合金具
Ａｂ    第二接合金具
Ｂ      梁
Ｂａ    端面
Ｐ      柱
Ｐａ    側面
【図１】
2013023980.tif 000003
【図２】
2013023980.tif 000004
【図３】
2013023980.tif 000005
【図４】
2013023980.tif 000006
【図５】
2013023980.tif 000007
【図６】
2013023980.tif 000008